(57)【要約】【課題】眼底像観察時、眼底を観察し易いと共に被検眼者に対する負担を最小限にしながら、眼底像撮影時、被検眼の眼底像を鮮明に撮影することができる眼科撮影装置を提供すること。【解決手段】被検眼Ｅの眼底像を観察するための観察用光源と、撮影するための撮影用光源とを有し、これらの光源から発せられた照明光の前記被検眼Ｅの眼底Ｅｆによる反射光を、撮影絞り１２１を介して観察及び撮影する眼科撮影装置１において、眼底像の観察時は、撮影絞り１２１の開口面積を開放絞り（ＬＡＲＧＥ）とし、眼底像の撮影時は、観察時における撮影絞り１２１の開口面積を小開口面積絞り（ＳＭＡＬＬ）まで絞る制御手段を設けた。【選択図】図７
2008110156.tif 000002
【特許請求の範囲】
【請求項１】
被検眼の眼底像を観察するための観察用光源と、撮影するための撮影用光源とを有し、
これらの光源から発せられた照明光の前記被検眼の眼底による反射光を、撮影絞りを介して観察及び撮影する眼科撮影装置において、
眼底像の観察時は、前記撮影絞りの開口面積を開放側とし、眼底像の撮影時は、観察時における前記撮影絞りの開口面積を小さく絞る制御手段を設けたことを特徴とする眼科撮影装置。
【請求項２】
請求項１に記載された眼科撮影装置において、
前記制御手段は、眼底像の観察時は、前記撮影絞りの開口面積に応じた観察光量に自動調整し、眼底像の撮影時は、前記撮影絞りの開口面積縮小分に応じた撮影光量に自動調整することを特徴とする眼科撮影装置。
【請求項３】
請求項１または請求項２に記載された眼科撮影装置において、
複数の目標開口面積の中から１つを選択操作することで、撮影絞りの目標開口面積を設定する撮影絞り設定手段を設け、
前記制御手段は、撮影絞りの開口面積として被写界深度が深い撮影時目標開口面積が撮影に先行して設定された場合、眼底像の撮影時、観察時における前記撮影絞りの開口面積を設定された撮影時目標開口面積まで絞ることを特徴とする眼科撮影装置。
【請求項４】
請求項３に記載された眼科撮影装置において、
前記制御手段は、撮影に関する各種の設定にかかわらず、撮影絞りの開口面積として被写界深度が深い撮影時目標開口面積が撮影に先行して設定されることのみを条件とし、眼底像の撮影時、観察時における前記撮影絞りの開口面積を設定された撮影時目標開口面積まで絞ることを特徴とする眼科撮影装置。
【請求項５】
請求項１または請求項２に記載された眼科撮影装置において、
被検眼における固視標の位置を検知する固視標位置検知手段を設け、
前記制御手段は、前記固視標位置検知手段により検知された固視標の位置が、瞳孔を正面に向けた中心位置から鼻側や耳側に外れた位置となる周辺撮影時であると判断された場合、眼底像の撮影時、観察時における前記撮影絞りの開口面積を小さく絞ることを特徴とする眼科撮影装置。
【請求項６】
請求項７に記載された眼科撮影装置において、
前記制御手段は、撮影に関する各種の設定にかかわらず、前記固視標位置検知手段により検知された固視標の位置が、瞳孔を正面に向けた中心位置から鼻側や耳側に外れた位置となる周辺撮影時であると判断されることのみを条件とし、眼底像の撮影時、観察時における前記撮影絞りの開口面積を、予め設定された被写界深度が深い目標開口面積まで絞ることを特徴とする眼科撮影装置。
【発明の詳細な説明】
【技術分野】
【０００１】
本発明は、眼科分野において被検眼の眼底像観察および被検眼の眼底像撮影を行うために使用される眼科撮影装置（「眼底カメラ」ともいう。）に関する。
【背景技術】
【０００２】
近年、コンピュータを用いての作業やゲームの普及、更には老齢人口の増加等の理由から、眼科分野における治療や検査に対する需要が大きくなってきている。このような現状を反映して、各種の眼科装置を開発するに当たりその操作性の向上等に基づく治療や検査の効率化が重視されるようになってきた。
【０００３】
眼科撮影装置についてもそのような傾向が進んでおり、コンピュータプログラムの制御に基づく各種動作の連動や各種設定の自動化が図られるなど、ハードウェア的な改良だけでなく、ソフトウェア面における改良もその一翼を担うようになっている。
【０００４】
このようなソフト面での改良を進めて眼科撮影装置の使用効率性を追求する場合や、その機能の拡充を図る場合、そのカウンターバランスとして撮影精度の担保／向上が念頭に置かれるべきことはいうまでもない。
【０００５】
例えば、適当な大きさの撮影絞りを選択することは、撮影精度を向上させるための重要なファクターである。また、選択された撮影絞りに対応した適正な観察用照明や撮影用照明の光量を決定することも撮影精度に大きく影響を与える。
【０００６】
そこで、被検眼の眼底像を撮影するための撮影絞りと照明光量の設定を連動的に行うことにより、操作性・使用効率の向上と良好な撮影精度の確保を図ることを目的とし、撮影絞りの選択モードとして、解像度優先モードと深度優先モードを設定し、解像度優先モードを選択した場合には、撮影絞りの開口面積を初期値から所定段階大きな開口面積とし、深度優先モードを選択した場合には、撮影絞りの開口面積を初期値から所定段階小さな開口面積とし、かつ、撮影絞りの開口面積の変更に連動させて照明光の光量を自動調整する眼科撮影装置が提案されている（例えば、特許文献１参照）。
【特許文献１】特開２００４−３５０８４９号公報
【発明の開示】
【発明が解決しようとする課題】
【０００７】
しかしながら、従来の眼科撮影装置にあっては、
・特にＣＣＤカメラとフィルムカメラとは解像度や感度が異なり、良好な撮影精度を確保するには撮影絞りの開口面積を変える必要がある点、
→（解像度優先モードと深度優先モードの設定）
・撮影絞りの開口面積を変えた場合に光量をそのままにしておくと撮影精度が低下するし、手動にて光量調整を行うようにすると使用効率が悪くなるという点、
→（撮影絞りの開口面積の変更に連動させた光量自動調整）
に着目してなされたものである。
すなわち、従来の眼科撮影装置は、眼底像の撮影時を主眼としてなされたものであり、特に、眼底像の観察時における撮影絞りの開口面積については考慮されていない。
【０００８】
したがって、従来の眼科撮影装置においては、観察時の撮影絞りの開口面積が、優先モードを使用しないときの値、つまり、所定段階大きくすることも所定段階小さくすることもできる中間的な撮影絞り開口面積（撮影絞り初期値）に設定される。
しかし、観察時において撮影絞りで被写界深度を深くしようとすると、撮影絞りを絞ることになり、
・観察像が暗いため、ピントが合わせづらい、
・被写界深度が深く、眼底の観察時にピントが合わせ難い、
・撮影絞りを絞ることにより観察光量が増加するため、被検眼者に対する負担が大きくなる、
・散瞳していても、観察光量が高ければ、縮瞳しやすくなり、狭い瞳孔によるケラレやフレアの原因になり易くなる、
という問題があった。
【０００９】
ここで、「被写界深度」とは、カメラで被写体にピントを合わせたとき、被写体前後の範囲の中でピントが合っている範囲のことをいい、この範囲が広い状態を「被写界深度が深い」といい、この範囲が狭い状態を「被写界深度が浅い」という。
【００１０】
本発明は、上記問題に着目してなされたもので、眼底像観察時、眼底を観察し易いと共に被検眼者に対する負担を最小限にしながら、眼底像撮影時、被検眼の眼底像を鮮明に撮影することができる眼科撮影装置を提供することを目的とする。
【課題を解決するための手段】
【００１１】
上記目的を達成するため、本発明では、被検眼の眼底像を観察するための観察用光源と、撮影するための撮影用光源とを有し、
これらの光源から発せられた照明光の前記被検眼の眼底による反射光を、撮影絞りを介して観察及び撮影する眼科撮影装置において、
眼底像の観察時は、前記撮影絞りの開口面積を開放側とし、眼底像の撮影時は、観察時における前記撮影絞りの開口面積を小さく絞る制御手段を設けたことを特徴とする。
【発明の効果】
【００１２】
よって、本発明の眼科撮影装置にあっては、制御手段において、眼底像の観察時は、撮影絞りの開口面積が開放側とされ、眼底像の撮影時は、観察時における撮影絞りの開口面積が小さく絞られる。
すなわち、被写界深度は、撮影絞りを開けば浅くなり、撮影絞りを絞れば深くなるという関係にあるため、眼底像の観察時は、被写界深度が浅くなり、ピントが合う範囲が狭くなる。このため、眼底の観察部分にピントが合わせ易くなる。また、眼底像の観察時は、撮影絞りを開いているため、観察光量を低く抑えても観察光は明るくなる。このピント合わせ操作の容易性と明るい観察光により、眼底を観察し易くなる。
眼底像の観察時、例えば、観察光量を高くしたまま撮影絞りを開けば、眼底像が明る過ぎて細部観察ができないため、手動・自動にかかわらず、必然的に観察光量が低く抑えられることになる。このように観察光量が低くなるため、被検眼者が受ける眩しさが低減される。また、観察光量が低いために瞳孔の縮瞳が生じ難くなる。この眩しさ低減と縮瞳防止により、観察時に被検眼者に対する負担を最小限に抑えることができる。
眼底像の撮影時、観察時における撮影絞りの開口面積が小さく絞られ、被写界深度が浅い状態から深い状態へと移行し、ピントが合う範囲が狭い範囲から拡大されるため、ピントが合った撮影像が得られやすい。また、撮影時には、撮影絞りを小さく絞ることで、照明光束と撮影光束がより分離されるため、フレアが入りにくい。このピンボケ防止とフレア防止により、撮影時、被検眼の眼底像を鮮明に撮影することができる。
この結果、眼底像観察時、眼底を観察し易いと共に被検眼者に対する負担を最小限にしながら、眼底像撮影時、被検眼の眼底像を鮮明に撮影することができる。
【発明を実施するための最良の形態】
【００１３】
以下、本発明の眼科撮影装置を実現する最良の形態を、図面に示す実施例１及び実施例２に基づいて説明する。
【実施例１】
【００１４】
まず、構成を説明する。
［外観構成］
図１は、実施例１の眼科撮影装置１の外観を示す側面図である。図２は、実施例１の眼科撮影装置１における第１コントロールパネルと第２コントロールパネルの一例を示す図である。以下、図１及び図２に基づいて、外観構成を説明する。
【００１５】
実施例１の眼科撮影装置１は、図１に示すように、ベース２と、このベース２上に前後左右方向（水平方向）にスライド可能に搭載された架台３と、を備えている。
【００１６】
前記架台３には、コントロールレバー４が設置されており、検眼者はこのコントロールレバー４を操作することによって、架台３をベース２上において自由に移動させることができる。また、コントロールレバー４の頭部には、撮影ボタン４ａが配置され、ボタン操作により眼底像を撮影することができるようになっている。
【００１７】
前記ベース１上には、支柱５が立設され、被検眼者の顎部を載置させるための顎受け６と、被検眼Ｅを固視させるための光源である外部固視灯７とが設けられている。
【００１８】
前記架台３には、眼科撮影装置１の各種光学系や制御系を格納する本体部８が搭載されている。なお、上記制御系は、ベース２や架台３の内部等に設けられていてもよい。
【００１９】
前記本体部８には、被検眼Ｅに対向配置される対物レンズ部８ａと、検眼者が被検眼Ｅの観察等を行うための接眼レンズ部８ｂとが設けられている。
また、本体部８には、被検眼Ｅの眼底の静止画像を撮影するための第１の撮像装置９と、被検眼Ｅの眼底像を撮像するためのテレビカメラ等の第２の撮像装置１０とが接続されている。第１の撮像装置９および第２の撮像装置１０は、本体部８に対して取り外し可能に接続されている。特に、第１の撮像装置９としては、検査の目的等に応じて、ＣＣＤカメラ、（例えば３５ｍｍ）フィルムカメラ、インスタントカメラ等を適宜接続することができる。また、第１の撮像装置９と第２の撮像装置１０のうち、少なくとも一方の装置がデジタル撮像方式のものである場合には、眼科撮影装置の外部に設けられたコンピュータ等からなる画像記録装置（詳細については後述する）にその画像を送信して記録しておくことができるようになっている。
【００２０】
前記本体部８の検眼者側には、カラー液晶モニター１１が設けられている。このカラー液晶モニター１１は、第２の撮像装置１０により取得された映像信号を基に被検眼Ｅの眼底像を表示するようになっている。
【００２１】
前記架台３の上面部３ａには、図２に示すように、コントロールパネル３０が設けられている。このコントロールパネル３０は、各種の設定や撮影状況の確認等を行うためのボタンや表示部を含んで構成されており、特に、詳細は後述するが、撮影モードの設定、撮影倍率の設定、第１の撮像装置９を構成する撮影媒体の種類の設定、撮影絞り開口面積の設定、撮影絞りの絞り値確認、撮影画角の設定、固視標の移動等を行うことができる。
【００２２】
前記コントロールパネル３０は、架台３の上面部３ａのうち、左側上面部に設定された第１コントロールパネル３０Ｌ（図２(a)）と、右側上面部に設定された第２コントロールパネル３０Ｒ（図２(b)）と、を備えている。
【００２３】
前記第１コントロールパネル３０Ｌには、撮影モードの設定を行うためのボタンとして、通常のカラー撮影モードを選択するためのＮＯＲＭボタン３１ａと、可視蛍光撮影モード（ＦＡＧ撮影モード）を選択するためのＦＡＧボタン３１ｂと、赤外蛍光撮影モード（ＩＣＧ撮影モード）を選択するためのＩＣＧボタン３１ｃと、が設けられている（撮影モード設定手段）。この撮影モードの初期設定は、カラー撮影モードを選択している。
【００２４】
前記第１コントロールパネル３０Ｌには、撮影倍率の設定を行うためのボタンとして、撮影倍率を上げるためのＵＰボタン３２ａと、下げるためのＤＯＷＮボタン３２ｂと、が設けられている。さらに、設定された撮影倍率を表示するための表示部３２Ａが配置されている。
【００２５】
前記第１コントロールパネル３０Ｌには、上記撮影媒体の種類の設定を行うためのボタンとして、ＣＣＤカメラを接続するときに選択されるＣＣＤボタン３３ａと、フィルムカメラを接続するときに選択されるＦＩＬＭボタン３３ｂと、インスタントカメラを接続する場合に選択されるＰＯＬＡボタン３３ｃと、が設けられている（撮影媒体設定手段）。この撮影媒体の初期設定は、ＣＣＤカメラを選択している。
【００２６】
前記第１コントロールパネル３０Ｌには、撮影絞り１２１の開口面積の設定を行うためのボタンとして、撮影時に撮影絞り１２１の開口面積を被写界深度が深い撮影時目標開口面積にするためのスモールボタン３４ａと、撮影時に撮影絞り１２１を被写界深度が浅い観察時目標開口面積にするためのラージボタン３４ｂとが設けられている。さらには、撮影絞り１２１の絞り値を表す情報を表示するための表示部３４Ａが配置されている（撮影絞り設定手段）。この撮影絞りの初期設定は、“ＬＡＲＧＥ（開放絞り）”を選択している。
【００２７】
前記第２コントロールパネル３０Ｒには、眼底像観察や眼底像撮影の際における瞳孔への入射角度を切り換える画角スイッチ３５ａと、多数の眼底画像を一覧表示するためのサムネイルスイッチ３５ｂと、内部固視標（液晶表示器１０９）の位置を切り換える固視切換スイッチ３５ｃと、各種番号を設定するための番号スイッチ３５ｄと、を備えている。
【００２８】
なお、コントロールパネル３０には、これら以外にも各種のボタンやスイッチ、表示部等を設けることができる。例えば、タイマーを設定・操作するためのボタン、タイマーを表示するための表示部、観察や撮影の照明光量を手動で調整するためのボタン、照明光量を表示するための表示部、撮影画角を表示するための表示部、各種照明光のオン／オフを切り換えるためのスイッチ、被検眼Ｅが右眼であるか左眼であるかを表示する表示部等を配置することができる。
【００２９】
［光学系の構成］
図３は、実施例１の眼科撮影装置１の本体部８に格納された光学系の構成の一例を示す概略図である。図４は、光学系の構成のうち照明光学系１００に設定された液晶表示器１０９によるドットからなる固視標１０９ａの一例を示す図である。図５は、光学系の構成のうち撮影光学系１２０に設定された撮影絞り１２１の概略構成の一例を示した図である。以下、図３〜図５に基づいて、光学系の構成を説明する。
【００３０】
実施例１の眼科撮影装置１には、被検眼Ｅの眼底Ｅｆを照明するための照明光学系１００と、照明された眼底Ｅｆの観察およびその像の撮影を行うための撮影光学系１２０とが設けられている。
【００３１】
前記照明光学系１００は、図３に示すように、ハロゲンランプ１０１と、コンデンサレンズ１０２と、キセノンランプ１０３と、コンデンサレンズ１０４と、エキサイタフィルタ１０５および１０６と、リング開口板１０７と、ミラー１０８と、液晶表示器１０９と、照明絞り１１０と、リレーレンズ１１１と、孔開きミラー１１２と、対物レンズ１１３とが、この順に配列され構成されている。
【００３２】
前記ハロゲンランプ１０１は、検眼者が被検眼Ｅを観察するときや、眼底のカラー撮影を行うときに点灯される、継続的に発光可能な光源であり、本発明にいう撮影用光源および観察用光源を構成している。
【００３３】
前記コンデンサレンズ１０２は、ハロゲンランプ１０１からの観察光を集光し、被検眼Ｅ（特にその眼底Ｅｆ）を均等に照射するための光学素子である。
【００３４】
前記キセノンランプ１０３は、眼底Ｅｆの蛍光撮影時に点灯される光源である。
【００３５】
前記コンデンサレンズ１０４は、キセノンランプ１０３からの観察光を集光し、眼底Ｅｆを均等に照射するための光学素子である。
【００３６】
前記エキサイタフィルタ１０５、１０６は、眼底Ｅｆの眼底像の蛍光撮影を行うときに使用されるものである。エキサイタフィルタ１０５、１０６は、後述のソレノイドにより光路上に挿脱可能に設けられており、ＦＡＧ撮影モードのときはエキサイタフィルタ１０５のみが光路上に挿入され、ＩＣＧ撮影モードのときはエキサイタフィルタ１０６のみが光路上に挿入され、カラー撮影モードのときは双方ともに光路上から離脱されるようになっている。
【００３７】
前記リング開口板１０７は、被検眼Ｅの瞳孔と共役な位置に配置されており、光軸を中心としたリング開口１０７ａを備えている。
【００３８】
前記ミラー１０８は、ハロゲンランプ１０１やキセノンランプ１０３から光を反射し、撮影光学系１０３の光軸方向に偏向させるための光学素子である。
【００３９】
前記液晶表示器１０９は、図４に示すように、ドットからなる固視標１０９ａを形成して被検眼Ｅの固視を促すもので、表示するドットの位置を変更して被検眼Ｅの視線方向を誘導させるためのものである。なお、この液晶表示部１０９は眼底Ｅｆと共役な位置に配置されており、固視標１０９ａが眼底Ｅｆ上に結像されるようになっている。
【００４０】
前記照明絞り１１０は、フレアを解消する等の目的のために照明領域外の光を遮光する絞りで、照明領域を可変とするとともに、後述のソレノイドにより光軸方向に移動可能に構成されている。
【００４１】
前記孔開きミラー１１２は、照明光学系１００の光軸と撮影光学系１２０の光軸とを合成する合成部材であり、両光軸をほぼ中心として孔部１１２ａが形成されている。また、対物レンズ１１３は、本体部８の対物レンズ部８ａ内に配置されている。
【００４２】
一方、被検眼Ｅの眼底Ｅｆの観察およびその眼底像の撮影を行うための撮影光学系１２０は、図３に示すように、対物レンズ１１３と、孔開きミラー１１２の孔部１１２ａと、撮影絞り１２１と、バリアフィルタ１２２および１２３と、合焦レンズ１２４と、固定レンズ１３５と、撮影レンズ１２６と、クイックリターンミラー１２７とをこの順で含んで構成されている。
なお、図３中の符号９ａは、第１の撮像装置９の撮影媒体であり、ＣＣＤ、３５ｍｍカメラフィルム（以下、単にフィルムと称することがある）、インスタントフィルム等を示している。
【００４３】
前記撮影絞り１２１は、図５に示すように、円盤状に形成されており、その中心には回動軸１２１Ａが接続され、後述のソレノイドによって回動されるよう構成されている。また、撮影絞り１２１には、複数（例えば６つ）の大きさの絞りが形成されており、透孔部のサイズが大きなものから、絞り１２１ａ、１２１ｂ、１２１ｃ、１２１ｄ、１２１ｅおよび１２１ｆと符号が付されている。なお、透孔部のサイズ（＝開口面積）が大きくなれば絞り値は小さくなり、透孔部のサイズが小さくなれば絞り値は大きくなる。
【００４４】
前記バリアフィルタ１２２および１２３は、後述のソレノイドにより光路上から離脱可能に配置されており、ＦＡＧ撮影モードのときは、バリアフィルタ１２２のみが光路上に挿入され、ＩＣＧ撮影モードのときには、バリアフィルタ１２３のみが光路上に挿入され、カラー撮影モードのときには、両バリアフィルタ１３２、１３３が光路上から離脱されるようになっている。
【００４５】
前記合焦レンズ１２４は、眼底Ｅｆの像のフォーカスを行うために、光軸方向に移動可能に配置されたレンズである。また、撮影レンズ１２６は、被検眼Ｅからの光束を撮影媒体９ａ上に結像させるための光学素子である。
【００４６】
前記クイックリターンミラー１２７は、回動軸１２７ａを中心として回動可能に設けられており、第１の撮像装置９によって眼底Ｅｆの像を撮影するときに跳ね上げられて、被検眼Ｅからの光束を撮影媒体９ａに導くようになっている。被検眼Ｅを観察する場合や、第２の撮像装置１０により撮影を行うときには、光路上に斜設配置とされ、光束を反射し偏向するようになっている。
【００４７】
前記撮影光学系１２０には、図３に示すように、クイックリターンミラー１２７により偏向された光束が案内される、フィールドレンズ（視野レンズ）１２８と、切換ミラー１２９と、接眼レンズ１３０と、リレーレンズ１３１と、ミラー１３２と、リレーレンズ１３３とが設けられている。
【００４８】
前記切換ミラー１２９は、回動軸１２９ａを中心に回動可能とされている。検眼者が被検眼Ｅを観察するときは、切換ミラー１２９が光路上に斜設され、光束を偏向して接眼レンズ１３０に導くようになっている。また、第２の撮像装置１０により撮影を行うときには、切換ミラー１２９は光路上から退避されるようになっている。このとき光束は、リレーレンズ１３１、ミラー１３２およびリレーレンズ１３３を介して撮像素子１０ａに投影される。第２の撮像装置１０により撮影された眼底Ｅｆの眼底像Ｅｆ’は、カラー液晶モニター１１に表示されるようになっている。
【００４９】
［制御系の構成］
図６は、実施例１の眼科撮影装置１における各部を制御するための制御系の構成の一例を示す制御ブロック図である。以下、図６に基づいて制御系の構成を説明する。
【００５０】
眼科撮影装置１の制御系は、図６に示すように、制御手段１４０と記憶手段１５０とを中心に構成されている。前記制御手段１４０は、各種の演算・制御を行うことが可能なＣＰＵ等の演算制御装置と、処理に係るプログラムやデータが展開されるＲＡＭ等の記憶装置等とを含んで構成されている。前記記憶手段１５０は、眼科撮影装置１の制御プログラム等のコンピュータプログラムや、各種のデータを記憶している。制御手段１４０は、記憶装置１５０に記憶されたプログラムやデータを基に、眼科撮影装置１の制御を行うようになっている。
【００５１】
眼科撮影装置１には、撮影された画像を記録するための画像記録装置２００が接続されており、制御手段１４０は、画像記録装置２００とのデータ送受のインターフェイスとしてのインターフェイス部（Ｉ／Ｆ部）１６０を介して、画像データの送信等を行う。
なお、眼科撮影装置１の外部に画像記録装置２００を設ける代わりに、画像を記録可能なバッファ等の画像記録手段を眼科撮影装置１内に設けるよう構成することもできる。
また、画像記録装置２００としてコンピュータ等の情報処理装置を採用する場合、画像記録装置２００のモニターにコントロールパネル３０と同様の設定・操作画面を表示可能に構成し、この設定画面を用いて各種の設定や操作を行うようにすることもできる。
【００５２】
前記制御手段１４０には、図６に示すように、ハロゲンランプ１０１と、キセノンランプ１０３と、第１コントロールパネル３０Ｌと、第２コントロールパネル３０Ｒと、固視標位置センサ３６（固視標位置検知手段）と、照明絞り１１０と、ソレノイド１４１，１４２，１４３，１４４，１４５，１４６，１４７と、が接続されている。
【００５３】
前記固視標位置センサ３６は、内部固視標であり被検眼Ｅの固視位置を誘導させる前記液晶表示器１０９の位置、あるいは、外部固視標であり被検眼Ｅの固視位置を誘導させる前記外部固視灯７の位置のうち、少なくとも一方を検知するセンサである。
【００５４】
前記ソレノイド１４１は、エキサイタフィルタ１０５、１０６を光路に対して挿脱させるための駆動を行う。前記ソレノイド１４２は、照明絞り１１０を光軸方向に移動させるための駆動を行う。前記ソレノイド１４３は、撮影絞り１２１を、回動軸１２１ａを中心に回転させるための駆動を行う。前記ソレノイド１４４は、バリアフィルタ１２２、１２３を光路に対して挿脱させるための駆動を行う。前記ソレノイド１４５は、合焦レンズ１２４を光軸方向に移動させてフォーカシングするための駆動を行う。前記ソレノイド１４６は、クイックリターンミラー１２７を、回動軸１２７ａを中心に回転させるための駆動を行う。前記ソレノイド１４７は、切換ミラー１２９を、回動軸１２９Ａを中心に回転させるための駆動を行う。
【００５５】
前記制御手段１４０は、ハロゲンランプ１０１およびキセノンランプ１０３の点灯／消灯の切り換えや、光量の調整を行う。また、制御手段１４０は、撮影絞り１２１や照明絞り１１０の絞りの大きさを変更させるようになっている。
【００５６】
前記制御手段１４０は、第１コントロールパネル３０Ｌ、第２コントロールパネル３０Ｒ、固視標位置センサ３６からの各種の入力や設定を受けて、対応する各部を動作制御するようになっている。なお、図６では、図が煩雑になるのを回避するために、両コントロールパネル３０Ｌ，３０Ｒに配置された各ボタン表記が省略されている。
【００５７】
前記制御手段１４０は、第１コントロールパネル３０Ｌの表示部３４Ａに、撮影絞り１２１の絞り値を表す情報を表示させるようになっている。
ここで、絞り値を表す情報は、次のような態様で表示される。図５に示すように、撮影絞り１２１には、各種の絞り値を実現するための絞り１２１ａから１２１ｆが形成されている。撮影光学系１２０の光軸上に絞り１２１ａを配置すると表示部３４Ａに「１」と表示し、絞り１２１ｂを配置すると表示部３４Ａに「２」と表示し、絞り１２１ｃを配置すると表示部３４Ａに「３」と表示し、絞り１２１ｄを配置すると表示部３４Ａに「４」と表示し、絞り１２１ｅを配置すると表示部３４Ａに「５」と表示し、絞り１２１ｆを配置すると表示部３４Ａに「６」と表示する。即ち、表示部３４Ａには、撮影絞り１２１の絞り値が小さな順に「１」〜「６」と表示されるようになっている。
なお、このように光軸上に配置される絞り１２１ａ〜１２１ｆに対応する数字を表示する代わりに、絞り開口面積を表示するように構成することもできる。即ち、使用に供されている撮影絞り１２１の絞り度合いを表す情報であれば、表示部３４Ａによる表示形態は問わない。
【００５８】
次に、作用を説明する。
図７は、実施例１の眼科撮影装置１による被検眼の眼底観察動作、並びに、被検眼の眼底像撮影動作の一例を示すフローチャートである。以下、図７に基づいて被検眼の眼底像観察動作、被検眼の眼底像撮影動作および観察時／撮影時による撮影絞り切り換え制御作用について説明する。
【００５９】
［被検眼の眼底像観察動作］
ステップＳ１では、撮影絞り１２１を開放状態とし、撮影絞り１２１の開放状態に合わせてハロゲンランプ１０１の光量を自動調整により抑え、光量を抑えた観察光により、被検眼Ｅの眼底像を観察する。
【００６０】
まず、被検眼Ｅの眼底像観察を行う際には、被検眼者を図示しない椅子に座らせ、顎受け６に顎を載置させる。そして、被検眼Ｅに対する光学系のアライメントを行う。
被検眼Ｅに対する光学系のアライメントは、コントロールレバー４により架台３を、ベース２上において左右・上下に動かし、カラー液晶モニター１１の中央部に被検眼Ｅを映し出す（前眼部観察）。
そして、前眼部観察位置からコントロールレバー４により架台３を真っ直ぐ押し込んでゆくと、画像が瞳孔から入り込んで、被検眼Ｅの眼底Ｅｆがピンボケ状態で映し出される。この状態で、例えば、コントロールレバー４の操作によりカラー液晶モニター１１上の２つアライメント輝点を１つに合致させ、さらに、カラー液晶モニター１１上の“（）スケール”内に１つに合致させたアライメント輝点を入れることで、眼底Ｅｆにピントを合わせ、カラー液晶モニター１１に被検眼Ｅの眼底Ｅｆを映し出す（眼底像観察）。
【００６１】
この眼底Ｅｆの観察時には、撮影絞り１２１が初期状態である開放状態（例えば、撮影光学系１２０の光軸上に開口面積が大きな絞り１２１ａや１２１ｂや１２１ｃを配置した状態）とされ、撮影絞り１２１の開放状態に合わせてハロゲンランプ１０１の光量が自動調整により低く抑えられる。
【００６２】
ここで、ハロゲンランプ１０１の点灯により得られる観察光は、コンデンサレンズ１０２、１０４を介してリング開口板１０７を照射する。リング開口板１０７のリング開口１０７ａを通過した光は、ミラー１０８により偏向され、液晶表示器１０９、照明絞り１１０およびリレーレンズ１１１を経由し、孔開きミラー１１２によって撮影光学系１２０の光軸方向に偏向され、対物レンズ１１３を介して被検眼Ｅを照明する。ここで、リング開口板１０７は被検眼Ｅの瞳孔に共役配置されているので、瞳孔上にリング開口像が形成され、このリング開口像によって眼底Ｅｆが照明されることとなる。
【００６３】
［被検眼の眼底像撮影動作］
ステップＳ２では、被検眼の眼底像観察動作が終了したら、まず、第１コントロールパネル３０Ｌに配置されたボタン３１ａ、３１ｂまたは３１ｃを選択的に押下して撮影モードの設定を行う。なお、撮影モードの設定を行わなかった場合には、初期設定としてボタン３１ａに対応するカラー撮影モードが選択される。
押下されたボタンは点灯され、どのモードを選択したかを認識できるようになっている。選択された撮影モードは、制御手段１４０内のＲＡＭまたは記憶手段１５０に設定条件情報として記憶される。制御手段１４０は、選択された撮影モードに応じて各部の設定を制御する。例えば、ボタン３１ａに対応するカラー撮影モードが選択された場合、撮影時にハロゲンランプ１０１を点灯させるよう制御し、一方、ボタン３１ｂまたは３１ｃに対応するＦＡＧモードまたはＩＣＧモードが選択された場合には、キセノンランプ１０３を点灯させるよう制御する。
【００６４】
ステップＳ３では、ボタン３３ａ、３３ｂまたは３３ｃを選択的に押下して第１の撮像装置９に使用される撮影媒体の種類の設定を行う。なお、撮影媒体の種類の設定を行わなかった場合には、初期設定としてボタン３３ａに対応するＣＣＤカメラが選択される。
押下されたボタンは点灯され、どの撮影媒体を選択したか認識できるようになっている。選択された撮影媒体の種類は、制御手段１４０内のＲＡＭまたは記憶手段１５０に設定条件情報として記憶される。
【００６５】
ステップＳ４では、ボタン３４ａまたは３４ｂを押下して、撮影絞り１２１の開口面積の設定を行う。なお、撮影絞り１２１の開口面積設定を行わなかった場合には、初期設定としてボタン３４ｂに対応する開放絞り（ＬＡＲＧＥ）が選択される。
このとき、設定された撮影１２１の開口面積は、制御手段１４０内のＲＡＭまたは記憶手段１５０に設定条件情報として記憶される。
【００６６】
ステップＳ５では、上記設定動作が終了した場合、あるいは、上記設定動作の一部が終了した場合、あるいは、上記設定動作を全く行わなかった場合、眼底像撮影動作として撮影ボタン４ａを押す。
すなわち、上記ステップＳ２〜ステップＳ４の設定動作は、任意の順序で行うことが可能であるし、一部のみを行うことも可能であるし、全く行わないで撮影動作に入ることも可能である。
【００６７】
ステップＳ６では、ステップＳ５での撮影ボタン４ａの押し操作に続き、撮影絞り１２１を絞るか否かを判断し、Yesの場合はステップＳ７へ移行し、Noの場合はステップＳ９へ移行する。
ここで、撮影絞り１２１を絞るとの判断は、ステップＳ２の撮影モードの選択（例えば、カラー撮影モードの選択）やステップＳ３の撮影媒体の選択（例えば、ＣＣＤカメラの選択）にかかわらず、ステップＳ４にて撮影絞り１２１をスモールボタン３４ａに対応する小開口面積絞り（ＳＭＡＬＬ）の選択がなされると、この絞り選択のみを条件とし、撮影絞り１２１を絞ると判断してステップＳ７へ進む。
【００６８】
ステップＳ７では、ステップＳ６での撮影絞り１２１を絞るとの判断に続き、開放絞り（ＬＡＲＧＥ）での開口面積となっている撮影絞り１２１を、小開口面積絞り（ＳＭＡＬＬ）の開口面積まで絞る制御指令をソレノイド１４３へ出力する。
ここで、開放絞り（ＬＡＲＧＥ）での開口面積ＳLARGEと、小開口面積絞り（ＳＭＡＬＬ）の開口面積ＳSMALLとの関係は、例えば、ＳLARGE：ＳSMALL＝４：１とする。
【００６９】
ステップＳ８では、ステップＳ７での撮影絞り１２１を絞り制御に続き、撮影絞り１２１の絞り開口面積の変更に応じ、ハロゲンランプ１０１及びキセノンランプ１０３の撮影時光量を適正に上げる。
ここで、撮影時光量を適正に上げるための制御量は、絞り開口面積の変更情報を基に演算して求める構成とすることができ、また、絞り開口面積の変更情報と光量とを関連付けたテーブルをあらかじめ記憶手段１５０等に保存しておき、これを参照して求める構成とすることもできる。
【００７０】
ステップＳ９では、ステップＳ８での撮影時光量の上昇処理、あるいは、ステップＳ６での撮影絞り１２１を絞らないとの判断に続き、フラッシュ（キセノンランプ１０３）を発光させ、被検眼Ｅの眼底Ｅｆの眼底像Ｅｆ’の蛍光撮影を行う。
制御手段１４０は、撮影された眼底像Ｅｆ’を、撮影絞り１２１の開口面積と撮影時光量と共に、Ｉ／Ｆ部１６０を介して画像記録装置２００に送信し記録させる。
なお、蛍光撮影時には、キセノンランプ１０３が発光され、上記ハロゲンランプ１０１の点灯の場合と同様にして眼底Ｅｆが照明される。このとき、可視蛍光撮影か赤外蛍光撮影かに応じて、エキサイタフィルタ１０５または１０６が選択的に光路上に挿入される。
【００７１】
［観察時／撮影時による撮影絞り切り換え制御作用］
観察動作から撮影動作に移行するときであって、ステップＳ４においてスモールボタン３４ａが押下されていなく撮影絞り条件が成立しない場合には、図７に示すフローチャートにおいて、ステップＳ１→ステップＳ２→ステップＳ３→ステップＳ４→ステップＳ５→ステップＳ６→ステップＳ９へと進む流れになる。
したがって、ステップＳ９において、撮影絞り１２１を開放絞り（ＬＡＲＧＥ）としたままで、被検眼Ｅの眼底Ｅｆの眼底像Ｅｆ’の蛍光撮影が行われることになる。
【００７２】
一方、観察動作から撮影動作に移行するとき、ステップＳ４においてスモールボタン３４ａが押下されていて撮影絞り条件が成立する場合には、図７に示すフローチャートにおいて、ステップＳ１→ステップＳ２→ステップＳ３→ステップＳ４→ステップＳ５→ステップＳ６→ステップＳ７→ステップＳ８→ステップＳ９へと進む流れになる。
したがって、ステップＳ７において、撮影絞り１２１を開放絞り（ＬＡＲＧＥ）から小開口面積絞り（ＳＭＡＬＬ）まで絞り、ステップＳ８において、撮影絞り１２１を小開口面積絞り（ＳＭＡＬＬ）としたときの適正な撮影光量が得られる状態に設定し、ステップＳ９において、被検眼Ｅの眼底Ｅｆの眼底像Ｅｆ’の蛍光撮影が行われることになる。
【００７３】
よって、実施例１の眼科撮影装置１にあっては、眼底像の観察時は、撮影絞り１２１の開口面積が開放絞り（ＬＡＲＧＥ）とされ、眼底像の撮影時は、観察時における撮影絞り１２１の開口面積が小開口面積絞り（ＳＭＡＬＬ）まで絞られる。
【００７４】
すなわち、被写界深度は、撮影絞り１２１を開けば浅くなり、撮影絞り１２１を絞れば深くなるという関係にあるため、撮影絞り１２１の開口面積が開放絞り（ＬＡＲＧＥ）とされる眼底像の観察時は、被写界深度が浅くなり、ピントが合う範囲が狭くなる。
このため、眼底Ｅｆにピントを合わせる操作を行う際、狭い範囲でのみピントが合ってはっきりした画像となり、その前後の範囲ではピンボケした画像となることで、眼底Ｅｆの観察部分にピントが合わせ易くなる。
例えば、ピンボケ領域からピントが合った領域に入るだけで、眼底Ｅｆの観察部分にピントを合わせることができる。
この点は、ピント合わせを自動化するオートフォーカスを採用する場合、短時間で素早くピント合わせを行うことができ、きわめて有効となる。
また、眼底像の観察時は、撮影絞り１２１を開放絞り（ＬＡＲＧＥ）まで開いているため、観察光量を低く抑えても、撮影絞り１２１を介して検眼者の目に入る光量は、撮影絞り１２１を閉じた場合に比べ増加することで、観察光は明るくなる。
このように、観察時に容易にピント合わせ操作を行うことができると共に、明るい観察光による観察環境が得られることにより、検眼者が被検眼Ｅの眼底Ｅｆを観察し易くなる。
【００７５】
眼底像の観察時、例えば、観察光量を高くしたまま撮影絞り１２１を開けば、眼底像が明る過ぎて細部観察ができないため、眼底像の観察時に撮影絞り１２１の開口面積を開放絞り（ＬＡＲＧＥ）とした場合、自動的に観察光量を低く抑えるように調整される。この点は手動による観察光量の調整でも同様である。
このため、観察光量が低くなることで被検眼者が受ける眩しさが低減される。また、観察光量が低いため、ケラレやフレアの原因ともなる瞳孔の縮瞳が生じ難くなる。
このように、撮影時間に比べかなりの長時間となる眼底像観察時において、被検眼者が受ける眩しさを低減すると共に、被検眼者の瞳孔が縮瞳となるのを防止することにより、観察時に被検眼者に対する負担を最小限に抑えることができる。
【００７６】
眼底像の撮影時、観察時における撮影絞りの開口面積（開放絞り）が小さく絞られ、被写界深度が浅い状態から深い状態へと移行し、ピントが合う範囲が狭い範囲から拡大されるため、必然的にピントが合った撮影像が得られやすい。
また、眼底像の撮影時には、撮影絞り１２１を小開口面積に絞ることで、照明光束と撮影光束がより分離されるため、フレアが入りにくい。
このように、確実にピンボケになることが防止されると共に、光束の分離によりフレアが入るのが防止されるため、撮影時、被検眼Ｅの眼底像を鮮明に撮影することができる。
【００７７】
実施例１において、眼底像の観察時は、撮影絞り１２１の開口面積（開放絞り）に応じた観察光量に自動調整され、眼底像の撮影時は、撮影絞り１２１の開口面積縮小分（＝開放絞り−小開口面積絞り）に応じた撮影光量に自動調整される。
したがって、撮影光量を手動調整する場合のような煩わしい操作が解消され、操作性が良く、使用効率が向上する。
【００７８】
実施例１においては、スモールボタン３４ａの操作により被写界深度が深い小開口面積絞り（ＳＭＡＬＬ）が撮影に先行して設定された場合、眼底像の撮影時、観察時における撮影絞り１２１の開放絞り（ＬＡＲＧＥ）による開口面積が、設定された小開口面積絞り（ＳＭＡＬＬ）まで絞られる。
したがって、眼底像を撮影する時に必ず撮影絞り１２１が絞られることなく、例えば、撮影絞り１２１を開放側絞りにしたままで撮影眼底像を得たい場合、スモールボタン３４ａの押下する操作を意図的にしなければ得ることができる。
【００７９】
実施例１においては、撮影モードの選択や撮影媒体の選択にかかわらず、スモールボタン３４ａの操作により小開口面積絞り（ＳＭＡＬＬ）による撮影絞りが撮影に先行して設定された場合、眼底像の撮影時、観察時における撮影絞り１２１の開放絞り（ＬＡＲＧＥ）が設定された小開口面積絞り（ＳＭＡＬＬ）まで絞られる。
例えば、撮影モードがカラーモードであり、かつ、撮影媒体がＣＣＤカメラであるという条件を付加した場合、カラーモードやＣＣＤカメラ以外の場合、仮に小開口面積絞り（ＳＭＡＬＬ）を選択しても撮影時に撮影絞りが絞られない。
これに対し、小開口面積絞り（ＳＭＡＬＬ）の選択のみを、撮影時における撮影絞り１２１を絞る条件としたことで、小開口面積絞り（ＳＭＡＬＬ）の選択操作に応えて確実に被検眼Ｅの眼底像の鮮明な撮影を確保することができる。
【００８０】
次に、効果を説明する。
実施例１の眼科撮影装置１にあっては、下記に列挙する効果を得ることができる。
【００８１】
(1) 被検眼Ｅの眼底像を観察するための観察用光源と、撮影するための撮影用光源とを有し、これらの光源から発せられた照明光の前記被検眼Ｅの眼底Ｅｆによる反射光を、撮影絞り１２１を介して観察及び撮影する眼科撮影装置１において、眼底像の観察時は、撮影絞り１２１の開口面積を開放絞り（ＬＡＲＧＥ）とし、眼底像の撮影時は、観察時における撮影絞り１２１の開口面積を小さく絞るため、眼底Ｅｆの観察時、眼底Ｅｆを観察し易いと共に被検眼者に対する負担を最小限にしながら、眼底Ｅｆの撮影時、被検眼Ｅの眼底像を鮮明に撮影することができる。
【００８２】
(2) 眼底像の観察時は、撮影絞り１２１の開口面積に応じた観察光量に自動調整し、眼底像の撮影時は、撮影絞り１２１の開口面積縮小分に応じた撮影光量に自動調整するため、撮影光量を手動調整する場合のような煩わしい操作が解消され、操作性が良く、使用効率の向上を図ることができる。
【００８３】
(3) ２つの目標開口面積の中から１つを選択操作することで、撮影絞りを設定する撮影絞り設定手段としてのスモールボタン３４ａとラージボタン３４ｂを設け、スモールボタン３４ａの選択により小開口面積絞り（ＳＭＡＬＬ）による撮影絞りが撮影に先行して設定された場合、眼底像の撮影時、観察時における撮影絞り１２１の開放絞り（ＬＡＲＧＥ）を設定された小開口面積絞り（ＳＭＡＬＬ）まで絞るため、検眼者の意図がスモールボタン３４ａの選択操作の有無により反映され、被検眼Ｅの眼底像の鮮明な撮影を確保したい場合と、撮影絞りを開放側絞りにした撮影眼底像を得たい場合と、の異なる検眼者意図に応えることができる。
【００８４】
(4) 撮影に関する各種の設定にかかわらず、スモールボタン３４ａの選択により小開口面積絞り（ＳＭＡＬＬ）による撮影絞りが撮影に先行して設定されることのみを条件とし、眼底像の撮影時、観察時における撮影絞り１２１の開放絞り（ＬＡＲＧＥ）を設定された小開口面積絞り（ＳＭＡＬＬ）まで絞るため、撮影に関する各種の設定にかかわらず、小開口面積絞り（ＳＭＡＬＬ）の選択操作に応えて確実に被検眼Ｅの眼底像の鮮明な撮影を確保することができる。
【実施例２】
【００８５】
実施例２は、眼底Ｅｆが傾斜しており、被写界深度が深い撮影が効果的である周辺撮影時に撮影絞り１２１を絞るようにした例である。
なお、構成的には、図１〜図６に示す実施例１と同様であるため、図示並びに説明を省略する。
【００８６】
次に、作用を説明する。
図８は、実施例２の眼科撮影装置１による被検眼の眼底観察動作、並びに、被検眼の眼底像撮影動作の一例を示すフローチャートである。以下、図８に基づいて被検眼の眼底像観察動作、被検眼の眼底像撮影動作および観察時／撮影時による撮影絞り切り換え制御作用について説明する。
【００８７】
［被検眼の眼底像観察動作］
ステップＳ２１では、図７のステップＳ１と同様に、撮影絞り１２１を開放状態とし、撮影絞り１２１の開放状態に合わせてハロゲンランプ１０１の光量を自動調整により抑え、光量を抑えた観察光により、被検眼Ｅの眼底像を観察する。
したがって、眼底Ｅｆの観察時には、撮影絞り１２１が初期状態である開放状態（ＬＡＲＧＥ）とされ、撮影絞り１２１の開放状態に合わせてハロゲンランプ１０１の光量が自動調整により抑えられる。なお、他の動作についても実施例１と同様である。
【００８８】
［被検眼の眼底像撮影動作］
ステップＳ２２では、図７のステップＳ２と同様に、被検眼の眼底像観察動作が終了したら、まず、第１コントロールパネル３０Ｌに配置されたボタン３１ａ、３１ｂまたは３１ｃを選択的に押下して撮影モードの設定を行う。なお、撮影モードの設定を行わなかった場合には、初期設定としてボタン３１ａに対応するカラー撮影モードが選択される。
【００８９】
ステップＳ２３では、図７のステップＳ３と同様に、ボタン３３ａ、３３ｂまたは３３ｃを選択的に押下して第１の撮像装置９に使用される撮影媒体の種類の設定を行う。なお、撮影媒体の種類の設定を行わなかった場合には、初期設定としてボタン３３ａに対応するＣＣＤカメラが選択される。
【００９０】
ステップＳ２４では、外部固視標（外部固視灯７）の位置を切り換える手動操作、あるいは、内部固視標（液晶表示器１０９）の位置を切り換える固視切換スイッチ３５ｃへの手動操作により被検眼Ｅを誘導し、固視標を移動させる。
【００９１】
ステップＳ２５では、ステップＳ２４での固視標移動に続き、眼底像撮影動作として撮影ボタン４ａを押す。
ここで、ステップＳ２２及びステップＳ２３の設定動作を全く行わなくても、さらに、ステップＳ２４の固視標移動を行わなくても、撮影ボタン４ａの押下動作に入ることは可能である。
【００９２】
ステップＳ２６では、液晶表示器１０９の位置、あるいは、外部固視灯７の位置のうち、少なくとも一方を検知する固視標位置センサ３６により固視標の位置を検知する。
【００９３】
ステップＳ２７では、ステップＳ２６での固視標の位置検知に続き、固視標の位置検知情報に基づき、周辺撮影か否かを判断し、Yesの場合はステップＳ２８へ移行し、Noの場合はステップＳ３０へ移行する。
ここで、周辺撮影か否かの判断は、固視標位置センサ３６により検知された固視標の位置が、瞳孔を正面に向けた中心位置から鼻側や耳側に外れた位置となった場合、周辺撮影であると判断する。
また、このステップＳ２７で周辺撮影であると判断された場合、カラー撮影モードの選択（初期設定を含む）、ＣＣＤカメラの選択（初期設定を含む）、の成立や不成立にかかわらず、これらの設定条件に優先してステップＳ２８へ進む。
【００９４】
ステップＳ２８では、ステップＳ２７での周辺撮影であるとの判断に続き、開放絞り（ＬＡＲＧＥ）での開口面積となっている撮影絞り１２１を、予め設定された被写界深度が深い目標開口面積まで絞る制御指令をソレノイド１４３へ出力する。
ここで、被写界深度が深い目標開口面積としては、例えば、実施例１で述べた小開口面積絞り（ＳＭＡＬＬ）としても良いし、また、周辺撮影であることを考慮し、小開口面積絞り（ＳＭＡＬＬ）より深い被写界深度が得られる開口面積としても良い。さらには、中心位置からの鼻側や耳側への外れ度合いに応じ、中心位置から周辺側へ外れるほど開口面積を小面積として被写界深度を深くしても良い。
【００９５】
ステップＳ２９では、ステップＳ２８での撮影絞り１２１を絞り制御に続き、ステップＳ８と同様に、撮影絞り１２１の絞り開口面積の変更に応じハロゲンランプ１０１及びキセノンランプ１０３の撮影時光量を適正に上げる。
【００９６】
ステップＳ３０では、ステップＳ２９での撮影時光量の上昇処理、あるいは、ステップＳ２７での周辺撮影ではないとの判断に続き、ステップＳ９と同様に、フラッシュ（キセノンランプ１０３）を発光させ、被検眼Ｅの眼底Ｅｆの眼底像Ｅｆ’の蛍光撮影を行う。
【００９７】
［観察時／撮影時による撮影絞り切り換え制御作用］
観察動作から撮影動作に移行するとき、ステップＳ２７で周辺撮影でないと判断された場合には、図８に示すフローチャートにおいて、ステップＳ２１→ステップＳ２２→ステップＳ２３→ステップＳ２４→ステップＳ２５→ステップＳ２６→ステップＳ２７→ステップＳ３０へと進む流れになる。
したがって、ステップＳ３０において、撮影絞り１２１を開放絞り（ＬＡＲＧＥ）としたままで、被検眼Ｅの眼底Ｅｆの眼底像Ｅｆ’の蛍光撮影が行われることになる。
【００９８】
一方、観察動作から撮影動作に移行するとき、ステップＳ２７で周辺撮影であると判断された場合には、図８に示すフローチャートにおいて、ステップＳ２１→ステップＳ２２→ステップＳ２３→ステップＳ２４→ステップＳ２５→ステップＳ２６→ステップＳ２７→ステップＳ３０へと進む流れになる。
したがって、ステップＳ２８において、撮影絞り１２１を開放絞り（ＬＡＲＧＥ）から予め設定された小開口面積絞りまで絞り、ステップＳ２９において、撮影絞り１２１を小開口面積絞りとしたときの適正な撮影光量が得られる状態に設定し、ステップＳ３０において、被検眼Ｅの眼底Ｅｆの眼底像Ｅｆ’の蛍光撮影が行われることになる。
【００９９】
ここで、眼底Ｅｆの周辺撮影は、通常の眼底像撮影に比べた場合、下記の点で状況が相違する。
・撮影部位が球面を傾けた状態であるため、被写体である眼底Ｆｆが傾斜しており、各部分での眼底Ｅｆに至る距離に大きな前後差が生じる。
・スプリット合致式の合焦は、角膜偏芯により、照明光束と撮影光束が互いにずれ、ピント合わせに使えないため、ファインダー（モニター）で目視による判断となる。
・撮影絞り１２１を絞ることによって撮影光量が増加することになるが、黄斑部から離れた周辺撮影では、撮影光量が上がってもさほど眩しさを感じない。
【０１００】
これに対し、実施例２の眼科撮影装置１にあっては、固視標位置センサ３６により検知された固視標の位置が、瞳孔を正面に向けた中心位置から鼻側や耳側に外れた位置となる周辺撮影時であると判断された場合、眼底像の撮影時、観察時における撮影絞り１２１の開口面積が小さく絞られる。
すなわち、眼底像の周辺撮影時、撮影前の観察時に被写界深度が浅い（開放絞り）のに対し、周辺撮影時に被写界深度が深く（小開口面積絞り）なるため、ピントが合う範囲が狭い範囲から拡大され、上記のような眼底が傾斜しているしスプリット合致式の合焦ができないという特徴を持った周辺撮影において、被写界深度が深くなることは有利であり、かつ、効果的であり、眼底像の周辺撮影にもかかわらず、ピントが合った撮影像を得ることができる。
【０１０１】
実施例２においては、撮影に関する各種の設定にかかわらず、固視標位置センサ３６により検知された固視標の位置が、瞳孔を正面に向けた中心位置から鼻側や耳側に外れた位置となる周辺撮影時であると判断されることのみを条件とし、眼底像の撮影時、観察時における撮影絞り１２１の開口面積が、予め設定された被写界深度が深い目標開口面積まで絞られる。
例えば、撮影モードがカラーモードであり、かつ、撮影媒体がＣＣＤカメラであるという条件を付加した場合、カラーモードやＣＣＤカメラ以外の場合、仮に周辺撮影を行ったとしても撮影絞りが絞られない。
これに対し、周辺撮影条件のみを、撮影時における撮影絞り１２１を絞る条件としたことで、固視標を移動させる周辺撮影動作に応えて確実に被検眼Ｅの眼底像の鮮明な撮影を確保することができる。
【０１０２】
次に、効果を説明する。
実施例２の眼科撮影装置１にあっては、実施例１の(1),(2)の効果に加え、下記に列挙する効果を得ることができる。
【０１０３】
(5) 被検眼Ｅにおける固視標の位置を検知する固視標位置センサ３６を設け、固視標位置センサ３６により検知された固視標の位置が、瞳孔を正面に向けた中心位置から鼻側や耳側に外れた位置となる周辺撮影時であると判断された場合、眼底像の撮影時、観察時における撮影絞り１２１の開口面積を小さく絞るため、眼底が傾斜しているしスプリット合致式の合焦ができない周辺撮影にもかかわらず、ピントが合った撮影像を得ることができる。
【０１０４】
(6) 撮影に関する各種の設定にかかわらず、固視標位置センサ３６により検知された固視標の位置が、瞳孔を正面に向けた中心位置から鼻側や耳側に外れた位置となる周辺撮影時であると判断されることのみを条件とし、眼底像の撮影時、観察時における撮影絞り１２１の開口面積を、予め設定された被写界深度が深い目標開口面積まで絞るため、撮影に関する各種の設定にかかわらず、固視標を移動させる周辺撮影動作に応え、確実に被検眼Ｅの眼底像の鮮明な撮影を確保することができる。
【０１０５】
以上、本発明の眼科撮影装置を実施例１及び実施例２に基づき説明してきたが、具体的な構成については、これらの実施例に限られるものではなく、特許請求の範囲の各請求項に係る発明の要旨を逸脱しない限り、設計の変更や追加等は許容される。
【０１０６】
実施例１では、小開口面積による撮影絞りの選択を条件とし、眼底像の撮影時に撮影絞りを絞る例を示し、実施例２では、周辺撮影であるとの判断を条件とし、眼底像の撮影時に撮影絞りを絞る例を示した。しかし、例えば、撮影ボタンを押す撮影動作のみを条件とし、眼底像の撮影時に撮影絞りを絞るようにしても良いし、実施例１，２の条件以外の条件を付加して、眼底像の撮影時に撮影絞りを絞る例としても良い。要するに、眼底像の観察時は、撮影絞りの開口面積を開放側とし、眼底像の撮影時は、観察時における撮影絞りの開口面積を小さく絞るものであれば本発明に含まれる。
【０１０７】
実施例１，２では、眼底像の観察時、予め選定した開放絞り（ＬＡＲＧＥ）に固定する例を示したが、固定された開放絞りによる開口面積を、手動調整によりその前後範囲で調整できるようにしても良い。
【０１０８】
実施例１，２では、眼底像の撮影時、あるいは、眼底像の周辺撮影時、予め設定した小開口面積絞りに固定する例を示した。しかし、固定された小開口面積絞りによる開口面積を、手動調整によりその前後範囲で調整できるようにしても良い。また、カメラ性能に応じて最適な絞り開口面積に設定するようにしても良い。さらには、撮影毎に絞り情報と画像を一緒に記録しておき、最適な画像が得られる開口面積に手動で設定変更、あるいは、学習制御により自動的に設定変更するようにしても良い。
【０１０９】
実施例１，２では、撮影絞りとして、開口面積が異なる複数の絞りを有する多段階絞りの例を示したが、開口面積が無段階に得られる無段階撮影絞りとしても良い。この無段階撮影絞りの場合、撮影絞りの開口面積をきめ細かく調整することができる。
【０１１０】
実施例１，２では、撮影絞りで絞った分、撮影光量を自動的補正する例を示したが、撮影光量を手動調整操作により補正するものであっても良い。
【産業上の利用可能性】
【０１１１】
実施例１，２では、撮影モードと撮影媒体の種類を変更設定できる眼科撮影装置の例を示したが、例えば、ＣＣＤカメラによりカラー撮影に固定された眼科撮影装置へも適用できる。また、実施例１，２では、ピント合わせを手動操作により行う眼科撮影装置の例を示したが、オートフォーカス方式の眼科撮影装置の例としても良い。要するに、被検眼の眼底像を観察するための観察用光源と、撮影するための撮影用光源とを有し、これらの光源から発せられた照明光の前記被検眼の眼底による反射光を、撮影絞りを介して観察及び撮影する眼科撮影装置であれば本発明を適用できる。
【図面の簡単な説明】
【０１１２】
【図１】実施例１の眼科撮影装置１の外観を示す側面図である。
【図２】実施例１の眼科撮影装置１における第１コントロールパネルと第２コントロールパネルの一例を示す図である。
【図３】実施例１の眼科撮影装置１の本体部８に格納された光学系の構成の一例を示す概略図である。
【図４】光学系の構成のうち照明光学系１００に設定された液晶表示器１０９によるドットからなる固視標１０９ａの一例を示す図である。
【図５】光学系の構成のうち撮影光学系１２０に設定された撮影絞り１２１の概略構成の一例を示した図である。
【図６】実施例１の眼科撮影装置１における各部を制御するための制御系の構成の一例を示す制御ブロック図である。
【図７】実施例１の眼科撮影装置１による被検眼の眼底観察動作、並びに、被検眼の眼底像撮影動作の一例を示すフローチャートである。
【図８】実施例２の眼科撮影装置１による被検眼の眼底観察動作、並びに、被検眼の眼底像撮影動作の一例を示すフローチャートである。
【符号の説明】
【０１１３】
１  眼科撮影装置
４  コントロールレバー
４ａ  撮影ボタン
７  外部固視灯（外部固視標）
８  本体部
８ａ  対物レンズ部
８ｂ  接眼レンズ部
９  第１の撮像装置
９ａ  撮影媒体
１０  第２の撮像装置
３０  コントロールパネル
３０Ｌ  第１コントロールパネル
３１ａ  ＮＯＲＭボタン
３１ｂ  ＦＡＧボタン
３１ｃ  ＩＣＧボタン
３２ａ  ＵＰボタン
３２ｂ  ＤＯＷＮボタン
３２Ａ  表示部
３３ａ  ＣＣＤボタン
３３ｂ  ＦＩＬＭボタン
３３ｃ  ＰＯＬＡボタン
３４ａ  スモールボタン
３４ｂ  ラージボタン
３４Ａ  表示部
３０Ｒ  第２コントロールパネル
３５ａ  画角スイッチ
３５ｂ  サムネイルスイッチ
３５ｃ  固視切換スイッチ
３５ｄ  番号スイッチ
３６  固視標位置センサ（固視標位置検知手段）
１００  照明光学系
１０１  ハロゲンランプ（観察用光源）
１０３  キセノンランプ（撮影用光源）
１０９  液晶表示器（内部固視標）
１２０  撮影光学系
１２１  撮影絞り
１２４  合焦レンズ
１４０  制御手段
１４１〜１４７  ソレノイド
２００  画像記録装置
【図１】
2008110156.tif 000003
【図２】
2008110156.tif 000004
【図３】
2008110156.tif 000005
【図４】
2008110156.tif 000006
【図５】
2008110156.tif 000007
【図６】
2008110156.tif 000008
【図７】
2008110156.tif 000009
【図８】
2008110156.tif 000010
【手続補正書】
【提出日】平成18年11月2日(2006.11.2)
【手続補正１】
【補正対象書類名】特許請求の範囲
【補正対象項目名】請求項６
【補正方法】変更
【補正の内容】
【請求項６】
請求項５に記載された眼科撮影装置において、前記制御手段は、撮影に関する各種の設定にかかわらず、前記固視標位置検知手段により検知された固視標の位置が、瞳孔を正面に向けた中心位置から鼻側や耳側に外れた位置となる周辺撮影時であると判断されることのみを条件とし、眼底像の撮影時、観察時における前記撮影絞りの開口面積を、予め設定された被写界深度が深い目標開口面積まで絞ることを特徴とする眼科撮影装置。